(57)【要約】【課題】プロセス液（測定液）や雨水の侵入を防止して、絶縁劣化がなく性能維持が可能な検出装置の取付構造を提供する。【解決手段】筒体の一端に水密に取付けられた検出部を有しこの検出部からの検出信号を前記筒体の中を通る信号線により他端側に取出すように構成した検出装置と、前記筒体が貫通する第１フランジと、腐食性流体が流れる配管または腐食性流体の収納容器に設けられた第２フランジとからなり、前記第１フランジと第２フランジを介して前記検出部が前記配管中に挿入され、前記第１フランジの配管側の面と大気側の面にシール部材を設けた検出装置の取り付け構造において、前記第１フランジの配管側のフランジ面と筒体の外周とを全周溶接した。【選択図】　　　図１
2004138424.tif 000002
【特許請求の範囲】
【請求項１】
筒体の一端に水密に取付けられた検出部を有しこの検出部からの検出信号を前記筒体の中を通る信号線により他端側に取出すように構成した検出装置と、前記筒体が貫通する第１フランジと、腐食性流体が流れる配管または腐食性流体の収納容器に設けられた第２フランジとからなり、前記第１フランジと第２フランジを介して前記検出部が前記配管中に挿入され、前記第１フランジの配管側の面と大気側の面にシール部材を設けた検出装置の取り付け構造において、前記第１フランジの配管側のフランジ面と筒体の外周とを全周溶接したことを特徴とする検出装置の取付構造。
【請求項２】
前記検出部、筒体及び第１フランジのガスケット座は前記腐食性流体に対して耐食性を有する部材で形成したことを特徴とする請求項１記載の検出装置の取付構造。
【請求項３】
前記第１フランジはガスケット座と第２フランジとの接合部が別部材で形成されていることを特徴とする請求項１記載の検出装置の取付構造。
【請求項４】
前記ガスケット座の大気側は前記筒体の外周に形成されたネジにナットをネジ込むことによって固定され、ナットとガスケット座の大気側の接触面をＯリングシールするとともに筒体の外周とナットの上部内周に形成された隙間に樹脂を充填したことを特徴とする請求項１記載の検出装置の取付構造。
【請求項５】
ナットの材質はステンレス鋼、樹脂はエポキシ樹脂系接着剤であることを特徴とする請求項４記載の検出装置の取付構造。
【発明の詳細な説明】
【０００１】
【発明の属する技術分野】
本発明は例えば腐食性流体中に挿入され、その流体の導電率を測定する電磁導電率計の取付構造に関し、耐食性を向上させた取付構造に関する。
【０００２】
【従来の技術】
腐食性流体の導電率を測定する電磁導電率検出器は、検出部（接液部）を樹脂（材料例：ＰＥＥＫ（ポリエーテルエーテルケトン）、ＰＦＡ（フッ素樹脂）等の耐食樹脂）で構成している。そのため、電極式導電率検出器と比較して、検出電極接液部に金属を持たないため、酸に対する耐食性を有している。
【０００３】
電磁導電率検出器をプロセス配管に接続する手段として、フランジ接続がある。その場合、電磁導電率検出器は、シール用Ｏリングを介して配管接続用フランジに検出器固定ナットで固定される。
【０００４】
図２は上述の検出装置（電磁導電率検出器）を配管に取付けた状態を示している。図において、１は電磁導電率検出器であり、一端に検出部２が取付けられている。検出部２から延長して電気信号を気密に伝送するための筒体３が設けられ、この筒体３の長手方向の中央付近には大径部４と小径部５からなる段部が形成され、小径部から延長してネジ３ａが設けられている。
【０００５】
大径部４と小径部５にはシール用ＯリングＡ，Ｂが設けられ、第１フランジ６の内径部に挿入することにより気密にシールされている。なお、第１フランジ６と電磁導電率検出器１はネジ３ａに検出器固定用ナット７をネジ込むことにより固定される。８は腐食性流体が流れるプロセス配管である。この配管８の外周にはボス９が設けられ、その端部に第２フランジ１０が固定されている。
そして、検出部２をプロセス配管６中に差し入れて第１，第２フランジをボルト・ナット１１で固定する。
【０００６】
この状態で、シール用ＯリングＡは、プロセス液（測定液）に対するシールとなり、シール用ＯリングＢは、検出装置の上部雰囲気（雨水）に対するシールおよびシール用ＯリングＡのバックアップとなる。なお、第１，第２フランジおよびシール用Ｏリングは、プロセス（測定液）に対して、耐性のある材質が選定される。
【０００７】
【発明が解決しようとする課題】
通常、Ｏリングは、所定時間が経過するとプロセス液（測定液）により、劣化し、シール性が損なわれてくる。したがって、予防保全のために、Ｏリングの定期的なチェックおよび交換が必要となり、保守工数が発生する。
【０００８】
また、Ｏリングの保守が適切に行われず、プロセス液（測定液）によりシール用ＯリングＡが劣化し、さらにシール用ＯリングＢが劣化した場合、電磁導電率検出器内部にプロセス液（測定液）または雨水が侵入し、絶縁劣化を引き起こし、性能を維持することができない。という問題があった。
本発明はプロセス液（測定液）や雨水の侵入を防止して、絶縁劣化がなく性能維持が可能な検出装置の取付構造を提供することを目的とする。
【０００９】
【課題を解決するための手段】
このような問題点を解決するために、請求項１においては、
筒体の一端に水密に取付けられた検出部を有しこの検出部からの検出信号を前記筒体の中を通る信号線により他端側に取出すように構成した検出装置と、前記筒体が貫通する第１フランジと、腐食性流体が流れる配管または腐食性流体の収納容器に設けられた第２フランジとからなり、前記第１フランジと第２フランジを介して前記検出部が前記配管中に挿入され、前記第１フランジの配管側の面と大気側の面にシール部材を設けた検出装置の取り付け構造において、前記第１フランジの配管側のフランジ面と筒体の外周とを全周溶接したことを特徴とする。
【００１０】
請求項２においては、請求項１記載の検出装置の取付構造において、
前記検出部、筒体及び第１フランジのガスケット座は前記腐食性流体に対して耐食性を有する部材で形成したことを特徴とする。
【００１１】
請求項３においては、請求項１記載の検出装置の取付構造において、
前記第１フランジはガスケット座と第２フランジとの接合部が別部材で形成されていることを特徴とする請求項１記載の検出装置の取付構造。
【００１２】
請求項４においては、請求項１記載の検出装置の取付構造において、前記ガスケット座の大気側は前記筒体の外周に形成されたネジにナットをネジ込むことによって固定され、ナットとガスケット座の大気側の接触面をＯリングシールするとともに筒体の外周とナットの上部内周に形成された隙間に樹脂を充填したことを特徴とする。
【００１３】
請求項５においては、請求項４記載の検出装置の取付構造において、
ナットの材質はステンレス鋼、樹脂はエポキシ樹脂系接着剤であることを特徴とする。
【００１４】
【発明の実施の形態】
以下、図面を用いて本発明を詳細に説明する。
図１は本発明の実施形態の一例を示す構成図である。図において、図２と同一要素には同一符号を付して重複する説明は省略する。ここで、電磁導電率計の検出部、筒体は図２と同様プロセス液（測定水）に耐性のある材質（例えばＰＦＡ・・・フッ素樹脂）で構成されている。
【００１５】
本発明では第１フランジを外周押え（第１フランジの第２フランジとの接合部）６ａとフランジガスケット座６ｂに分割し、フランジガスケット座６ｂの外周を外周押えで押えて固定する。そして、外周部６ａをステンレス鋼（ＪＩＳ　ＳＵＳ３１６）とし、電磁導電率検出器１の筒体と同材質（フッ素樹脂）とする。
【００１６】
本発明ではフランジガスケット座６ｂと電磁導電率計の筒体３が同一部材（フッ素樹脂）なので全周溶接が可能となり、プロセス液（測定液）に対するシールが完璧なものとなる。
【００１７】
更に、本発明ではガスケット座の大気側の検出器固定用ナット７ａの上部内周を筒体３の外周よりわずかに大きく形成し、その隙間にエポキシ樹脂１２を充填（接着）する。ここで、筒体３ａ上部のネジ部および検出器固定ナットは、エポキシ樹脂が接着可能でかつ雰囲気に耐性のある金属（例えばＳＵＳ３１６）とする。
又ナット７ａのフランジガスケット座に接する部分にはＯリング溝を設けてシール用ＯリングＢを配置し、筒体の大径部４と小径部５の段部にシール用ＯリングＡを配置する。
【００１８】
シール用ＯリングＢは固定用ナット７ａをネジ込むことによってナット７ａとフランジガスケット座６ａの大気側の接触面をＯリングシールし、充填されたエポキシ樹脂１２は筒体３の外周とナット上部の雰囲気（雨水）に対するシール部材として機能する。
シール用ＯリングＡは、万が一エポキシ樹脂の充填部から雨水が浸入した場合のバックアップ用シールとして機能する。
【００１９】
本発明の以上の説明は、説明および例示を目的として特定の好適な実施例を示したに過ぎない。したがって本発明はその本質から逸脱せずに多くの変更、変形をなし得ることは当業者に明らかである。
【００２０】
例えば本発明では検出装置の一例として電磁導電率検出器を用いたが、他の同様の装置であってもよい。また、耐食部材としてステンレス鋼及びフッ素樹脂を用いたが、腐食流体の種類により適宜変更可能である。また、充填材はエポキシ樹脂以外のものであってもよい。更に、腐食流体は配管中を流れるものでなくタンクに収納されたものでもよい。
特許請求の範囲の欄の記載により定義される本発明の範囲は、その範囲内の変更、変形を包含するものとする。
【００２１】
【発明の効果】
以上述べたように、本発明によれば、筒体の一端に水密に取付けられた検出部を有しこの検出部からの検出信号を前記筒体の中を通る信号線により他端側に取出すように構成した検出装置と、前記筒体が貫通する第１フランジと、腐食性流体が流れる配管または腐食性流体の収納容器に設けられた第２フランジとからなり、前記第１フランジと第２フランジを介して前記検出部が前記配管中に挿入され、前記第１フランジの配管側の面と大気側の面にシール部材を設けた検出装置の取り付け構造において、前記第１フランジの配管側のフランジ面と筒体の外周とを全周溶接したので、プロセス液（測定液）や雨水の侵入を防止して、絶縁劣化がなく性能維持が可能な検出装置の取付構造を実現することができる。
【００２２】
【図面の簡単な説明】
【図１】本発明の検出装置の取付構造の実施形態の一例を示す１部断面図である。
【図２】従来の検出装置の取付構造の説明図である。
【符号の説明】
１　　検出装置（電磁導電率検出器）
２　　検出部
３　　筒体
３ａ　ネジ
４　　大径部
５　　小径部
６　　第１フランジ
６ａ　外周部
６ｂ　フランジガスケット座
７ａ　検出器固定用ナット
８　　プロセス配管
９　　ボス
１０　第２フランジ
１１　ボルト・ナット
１２　エポキシ樹脂
【図１】
2004138424.tif 000003
【図２】
2004138424.tif 000004